(57)【要約】【課題】蓋取り付けパネルの大きさを小さくして、成型のための金型費や材料費の削減を図り、安価な郵便物受けを提供する。【解決手段】本体の空間部の前端部は横長の郵便物投入口が形成された化粧板５により閉じられ、空間部の後端部は開閉自在な扉により閉じられ、化粧板５の郵便物投入口の内側には化粧板５の上下長さのほぼ半分の上下長さで形成された蓋取り付けパネル９が取り付けられ、この蓋取り付けパネル９には郵便物投入口に合致する開口部が形成された枠内で上端が蓋取り付けパネル９に枢支された蓋１３が設けられており、蓋取り付けパネル９の下部には横幅方向全長に亘って水受け部１７が形成されており、水受け部１７の底板部１８には水抜き用の切り欠き部２１が形成されていて、開口部と蓋１３との隙間から浸入した雨水が水受け部１７の底板部１８上で受けられ、切り欠き部２１より下方に落とし、外部に排出するようにした。【選択図】図１３
0003146161.tif 000002
【実用新案登録請求の範囲】
【請求項１】
前後に向く四角形の筒状の本体の空間部の前端部は横長の郵便物投入口が形成された化粧板により閉じられ、空間部の後端部は開閉自在な扉により閉じられるように構成され、前記化粧板の郵便物投入口の内側には化粧板の上下長さのほぼ半分の上下長さで形成された蓋取り付けパネルが取り付けられ、この蓋取り付けパネルには前記郵便物投入口に合致する開口部が形成された枠内で上端が蓋取り付けパネルに水平方向に向く軸により枢支された蓋が設けられており、さらに蓋取り付けパネルの下部には蓋取り付けパネルの横幅方向全長に亘って水受け部が形成されており、水受け部の底板部には水抜き用の切り欠き部が形成されていて、前記開口部と蓋との隙間から浸入した雨水が水受け部の底板部上で受けられ、前記切り欠き部より下方に落とし、化粧板の下端に形成された水抜き孔より外部に排出するようにしたことを特徴とする郵便物受け。
【考案の詳細な説明】
【技術分野】
【０００１】
本考案は、例えばマンションなどの集合住宅のエントランスに取り付けられる郵便物受けに関するものである。
【背景技術】
【０００２】
従来の郵便物受けにおいて防滴性を具備させるものとしては特許文献１に開示されているように、郵便物受けの前端部に設けられる扉体の内側にパネル体が、投入口から入り込んだ雨水が郵便物受けの本体内に浸入しないように作られているものであるが、パネル体の外周の大きさは扉体の外周の大きさと同じように作られており、パネル体の構成から見てパネル体は通常合成樹脂で作られていることから、成型のために金型が大きくなっていた。
【特許文献１】登録実用新案第３０５０２４５号公報
【考案の開示】
【考案が解決しようとする課題】
【０００３】
上記特許文献１に開示されている郵便物受けの構成では、パネル体の外周の大きさは扉体の外周の大きさと同じように作られていることから、成型のために金型が大きくなり、また材料が多く必要となり、コストアップになるという問題があった。
【０００４】
本考案の目的は、このような課題を解決するものであり、蓋取り付けパネルの大きさを小さくして、成型のための金型費や材料費の削減を図り、安価な郵便物受けを提供することにある。
【課題を解決するための手段】
【０００５】
本考案の請求項１に記載の郵便物受けは、前後に向く四角形の筒状の本体の空間部の前端部は横長の郵便物投入口が形成された化粧板により閉じられ、空間部の後端部は開閉自在な扉により閉じられるように構成され、前記化粧板の郵便物投入口の内側には化粧板の上下長さのほぼ半分の上下長さで形成された蓋取り付けパネルが取り付けられ、この蓋取り付けパネルには前記郵便物投入口に合致する開口部が形成された枠内で上端が蓋取り付けパネルに水平方向に向く軸により枢支された蓋が設けられており、さらに蓋取り付けパネルの下部には蓋取り付けパネルの横幅方向全長に亘って水受け部が形成されており、水受け部の底板部には水抜き用の切り欠き部が形成されていて、前記開口部と蓋との隙間から浸入した雨水が水受け部の底板部上で受けられ、前記切り欠き部より下方に落とし、化粧板の下端に形成された水抜き孔より外部に排出するようにしたことを特徴とする。
【考案の効果】
【０００６】
以上のように、本考案の郵便物受けは、合成樹脂製の蓋取り付けパネルが化粧板の上下長さのほぼ半分の上下長さで形成されているので、この蓋取り付けパネルの成型のための金型費や材料費の削減を図ることができ、安価な郵便物受けを提供することができる。
【考案を実施するための最良の形態】
【０００７】
以下、本考案の一実施の形態を、図１〜図１４を用いて具体的に説明する。
図において、１は郵便物受けの金属製の本体で、この本体１は前後に向く四角形の筒状となっていて、内部は水平の仕切り板２によって複数段（図面では２段）に仕切られており、各段の空間部３の前端部は上部に横長の郵便物投入口４が形成された金属製の化粧板５により閉じられるようになっており、各段の空間部３の後端部は一側部のヒンジ６により開閉自在でダイヤル錠７により閉じた状態がロックされ、また解除される扉８により閉じられるようになっている。
【０００８】
ところで、前記各段の空間部３の前端部に取り付けられる化粧板５の郵便物投入口４の内側には化粧板５の上下長さのほぼ半分の上下長さで形成された合成樹脂製の蓋取り付けパネル９が取り付けられる。蓋取り付けパネル９には前記郵便物投入口４に合致する開口部１０が形成された枠１１内で上端が蓋取り付けパネル９に水平方向に向く軸１２により枢支された蓋１３が設けられている。この蓋１３は前記軸１２に嵌められ一端が蓋取り付けパネル９の裏面に当接し他端が蓋１３の裏面に当接するコイルばね１４により閉じる方向に付勢されている。１５は蓋１３の下端に延設され蓋取り付けパネル９の開口部１０の下側裏面に当接する延設片である。１６は蓋取り付けパネル９の開口部１０の下側裏面に貼着される弾性発泡材からなる緩衝材で、蓋１３が閉じた状態において前記延設片１５の前面は緩衝材１６に当接することになる。
【０００９】
さらに、前記蓋取り付けパネル９の下部には蓋取り付けパネル９の横幅方向全長に亘って水受け部１７が形成されている。この水受け部１７は蓋取り付けパネル９の前面に開口し、底板部１８が中央部を境に両端側に向って下向きに傾斜し、且つ前端部より後端部側に向って上向きに傾斜しており、底板部１８と上板部１９との間で横長さ方向に適当間隔おきに補強リブ２０が設けられている。この水受け部１７の前後の幅は前記開口部１０より後側に突出するように形成されて、開口部１０より後側に突出する部分で水受け部１７の上端は開口し、前記開口部１０と蓋１３との隙間から浸入した雨水は水受け部１７の底板部１８上で受けられるようになっている。底板部１８上で受けられた雨水は底板部１８が前述のように傾斜していることから底板部１８の両端側でしかも前側に向って流れ、底板部１８の横長さ方向両端における前端部に形成された水抜き用の切り欠き部２１より下方に流れ落ちるようになっている。なお、蓋取り付けパネル９には前記開口部１０の裏側における左右両側に後方に突出し前記水受け部１７の上端両側をも囲う突出壁２２が設けられている。
【００１０】
また、前記化粧板５の外周部はコの字型に内側に折り曲げられ、化粧板５の下端の折り曲げ部２３の水平部分の両端には水抜き孔２４が形成されている。この化粧板５の郵便物投入口４よりも下側位置でネームプレート２５が取り付けられる。また、ダイヤル錠７を備えた扉８にもネームプレート２６が取り付けられる。
【００１１】
以上のように構成された蓋取り付けパネル９は本体１の空間部３内に挿入されて、空間部３の前端部に折り曲げにより形成された取り付け片２４の裏面に下端辺を除く外周部が当接し、前記化粧板５の外周部は取り付け片２４の外面に当接し、蓋取り付けパネル９と化粧板５とで取り付け片２４を挟んだ状態で蓋取り付けパネル９の内側よりビス止めしている。この状態において、蓋取り付けパネル９の水受け部１７の背面は前記切り欠き部２１を除いて化粧板５の郵便物投入口４の下側の裏面で塞がれるようになる。
【００１２】
以上のように構成された郵便物受けは例えばマンションなどの集合住宅のエントランスの仕切り壁を本体１が貫通して前記郵便物投入口４が外側に向くように取り付けられ、郵便物投入口４、詳しくは前記蓋１３を押し開いて開口部１０より投入された郵便物は前記ダイヤル錠７を備えた扉８を開いて本体１の空間部３の後側より取り出されるものである。
【００１３】
そこで、郵便物受けの取り付け場所にもよるが、建物の外側に近い位置に郵便物投入口４が向くように郵便物受けが取り付けられていた場合、前述のように前記開口部１０と蓋１３との隙間から雨水が浸入することがあり、その雨水は水受け部１７の底板部１８上で受けられ、底板部１８が前述のように傾斜していることから底板部１８の両端側でしかも前側に向って流れ、底板部１８の横長さ方向両端における前端部に形成された切り欠き部２１より下方に流れ落ちることになる。切り欠き部２１より流れ落ちた雨水は前記化粧板５の下端の折り曲げ部２３の水平部分上に落ち、前記水抜き孔２４から化粧板５の外に流れ出るようになる。
【００１４】
ところで、上記した実施の形態では蓋取り付けパネル９は合成樹脂により作られているが、他の材料で作られていても良い。
【図面の簡単な説明】
【００１５】
【図１】本考案の一実施の形態における郵便物受けの前方から見た斜視図である。
【図２】同郵便物受けの後方から見た斜視図である。
【図３】同郵便物受けの後部の扉を開いた状態を示す斜視図である。
【図４】同郵便物受けの前部の化粧板の前方から見た斜視図である。
【図５】同郵便物受けの前部の化粧板の後方から見た斜視図である。
【図６】同化粧板の郵便物投入口に設けられる蓋取り付けパネルの前方から見た斜視図である。
【図７】同化粧板の郵便物投入口に設けられる蓋取り付けパネルの後方から見た斜視図である。
【図８】同蓋取り付けパネルに取り付けられる蓋のコイルばねによる付勢部の拡大斜視図である。
【図９】同蓋取り付けパネルに取り付けられる蓋を開いて後方から見た斜視図である。
【図１０】同蓋取り付けパネルの正面図である。
【図１１】同蓋取り付けパネルの背面図である。
【図１２】同蓋取り付けパネルの縦断側面図である。
【図１３】同蓋取り付けパネルを化粧板に組み合わせた状態で裏側上方から見た斜視図である。
【図１４】同蓋取り付けパネルを化粧板に取り付けた状態での郵便物受けの前端部の縦断側面図である。
【符号の説明】
【００１６】
１    本体
２    仕切り板
３    空間部
４    郵便物投入口
５    化粧板
６    ヒンジ
７    ダイヤル錠
８    扉
９    蓋取り付けパネル
１０    開口部
１１    枠
１２    軸
１３    蓋
１４    コイルばね
１５    延設片
１７    水受け部
１８    底板部
１９    上板部
２１    切り欠き部
２２    突出壁
２３    折り曲げ部
２４    水抜き孔
【図１】
0003146161.tif 000003
【図２】
0003146161.tif 000004
【図３】
0003146161.tif 000005
【図４】
0003146161.tif 000006
【図５】
0003146161.tif 000007
【図６】
0003146161.tif 000008
【図７】
0003146161.tif 000009
【図８】
0003146161.tif 000010
【図９】
0003146161.tif 000011
【図１０】
0003146161.tif 000012
【図１１】
0003146161.tif 000013
【図１２】
0003146161.tif 000014
【図１３】
0003146161.tif 000015
【図１４】
0003146161.tif 000016